(57)【特許請求の範囲】
【請求項１】
空気吸込口と温風吹出口を形成した筐体内に送風ファンと熱交換器とを備え、熱源機により加熱された温水が接続器から温水チューブを介して前記熱交換器内を通過して再び温水チューブを介して接続器から熱源機に戻ると共に、前記空気吸込口から吸い込まれた空気が熱交換器によって熱交換されたのち、送風ファンによって前記温風吹出口から室内に吹き出す温水暖房装置に於いて、室温を検知する室温サーミスタを少なくとも筐体背面の両端に設け、室温サーミスタが検知する検出温度が全て所定温度未満のとき、最も低い検出温度を室温として採用し、その採用した室温と操作部により設定した設定室温とを比較し、検出される室温が設定室温になるように運転を行うことを特徴とする温水暖房装置。
【請求項２】
前記室温サーミスタの全ての検出温度が所定温度以上の時は、表示部に全ての室温サーミスタのエラー表示を行って運転を停止し、検出温度が所定温度以上の室温サーミスタと所定温度未満の室温サーミスタがある時は、表示部に検出温度が所定温度以上となった室温サーミスタ側に異常が発生したエラー表示を行うと共に、検出温度が所定温度未満の室温サーミスタの検出温度を室温として採用し、その採用した室温と操作部により設定した設定室温とを比較し、検出される室温が設定室温になるように運転し、室温サーミスタ全ての検出温度が所定温度未満の時で検出温度の差が所定温度以上の時は、表示部に設置状態の確認表示を行うことを特徴とする請求項１記載の温水暖房装置。
【発明の詳細な説明】
【技術分野】
【０００１】
本発明は、室外に設置される熱源機と、室内に設置される室内機との間における温水経路を温水コンセントを介して連結した温水暖房装置に関するものである。
【背景技術】
【０００２】
従来、この種のものに於いては、室外に設置される熱源機と、室内に設置される室内機との間における温水経路が温水コンセントを介して連結されてなり、前記熱源機で加熱された温水が前記温水コンセントを介して前記室内機に循環され、同室内機内で熱交換された空気が送風ファンにより温風として室内に送出されるようになっていた。
（例えば、特許文献１参照。）
【０００３】
そして、前記室内機は、床面上に設置されるスタンドと、同スタンド上部の前後に被着される前面パネルおよび背面カバーとで筐体が構成され、同背面カバーの一側下部から温水チューブが、下部からコネクタにより接続されて先端部に室温サーミスタを備えたリード線が夫々導出され、前記温水チューブの先端部が室内の壁面等に固着された接続器に接続される一方、前記背面カバーの下部に、前記リード線を固定する固定具と、前記室温サーミスタを支持する支持具とを取り付けるようにしてなる構成であった。
【０００４】
しかし、前記筐体が室内に設置される時の設置条件等により、例えば前記温水チューブが前記背面カバーの他側方向に向けて導出されたような場合、同温水チューブに前記室温サーミスタが近接または当接してしまうことによって、同温水チューブ内を流れる温水温度の影響をうけて正確な室温を検知できないということがあり、そのため背面カバーからの温水チューブの導出方向に応じて、同温水チューブから離間した位置に室温サーミスタを付換えできるようにしたものがあった。
【０００５】
これは、温水チューブが、前記背面カバーの一側外方向に導出された際、前記支持具に設けた係止部 を前記背面カバーの他側下部に設けた係止孔に係止するとともに、前記リード線の一部を前記固定具の挟持部で挟持した状態で、同固定具の挿通孔を挿通したねじを前記コネクタおよび前記背面カバーの他側下部に設けた係止孔の間のねじ孔に螺着して、前記室温サーミスタを前記支持具で支持するとともに前記リード線を前記固定具で固定するようにし、前記温水チューブが、前記背面カバーの他側方向に導出された際、前記支持具に設けた係止部を前記背面カバーの一側上部に設けた係止孔に係止するとともに、前記固定具の挿通孔を挿通したねじを前記コネクタおよび前記背面カバーの一側上部に設けた係止孔の間のねじ孔に螺着して、前記室温サーミスタを前記支持具で支持するとともに前記リード線を前記固定具で固定するようにしたものであった。
（例えば特許文献２参照）
【先行技術文献】
【特許文献】
【０００６】
【特許文献１】特開平１１−１４０８２号公報
【特許文献２】特開２０００−１８６２９号公報
【発明の概要】
【発明が解決しようとする課題】
【０００７】
ところで、この従来のものでは、室内の壁面に接続器が複数設けられている部屋で室内機を別の接続器に接続したり、室内機を別の部屋に移動させて移動先の部屋の接続器に接続して使用する時、温水チューブに前記室温サーミスタが近接または当接してしまい、正確に室温が検知できなくなる状態になったら、使用者が自分で室温サーミスタの位置を変更しなくてはいけなかった。
【課題を解決するための手段】
【０００８】
上記課題を解決するために、本発明の請求項１では、空気吸込口と温風吹出口を形成した筐体内に送風ファンと熱交換器とを備え、熱源機により加熱された温水が接続器から温水チューブを介して前記熱交換器内を通過して再び温水チューブを介して接続器から熱源機に戻ると共に、前記空気吸込口から吸い込まれた空気が熱交換器によって熱交換されたのち、送風ファンによって前記温風吹出口から室内に吹き出す温水暖房装置に於いて、室温を検知する室温サーミスタを少なくとも筐体背面の両端に設け、室温サーミスタが検知する検出温度が全て所定温度未満のとき、最も低い検出温度を室温として採用し、その採用した室温と操作部により設定した設定室温とを比較し、検出される室温が設定室温になるように運転を行うものである。
【０００９】
また、請求項２では、請求項１において、前記室温サーミスタの全ての検出温度が所定温度以上の時は、表示部に全ての室温サーミスタのエラー表示を行って運転を停止し、検出温度が所定温度以上の室温サーミスタと所定温度未満の室温サーミスタがある時は、表示部に検出温度が所定温度以上となった室温サーミスタ側に異常が発生したエラー表示を行うと共に、検出温度が所定温度未満の室温サーミスタの検出温度を室温として採用し、その採用した室温と操作部により設定した設定室温とを比較し、検出される室温が設定室温になるように運転し、室温サーミスタ全ての検出温度が所定温度未満の時で検出温度の差が所定温度以上の時は、表示部に設置状態の確認表示を行うものである。
【発明の効果】
【００１０】
この発明の請求項１によれば、室温を検知する室温サーミスタを少なくとも筐体背面の両端に設け、室温サーミスタが検知する検出温度のうち、最も低い温度を室温として運転を行うので、一方の室温サーミスタに温水チューブが近接していたり、一方の室温サーミスタ側が壁と所定の間隔離れておらず近接していて熱がその周辺にこもるような状態であっても、他方の室温サーミスタの検出温度を室温としてそれと設定温度とを比較して運転を行い、室温が設定温度に上昇する前に運転を停止してしまうことを防止できるものである。
【００１１】
又、請求項２によれば、前記室温サーミスタの全ての検出温度が所定温度以上の時は、運転を停止してエラー表示を行ので、室温が検出できないまま運転が行われるのを防止でき、更に、全室温サーミスタのエラー表示を行うことで、両方の室温サーミスタが故障しているのを使用者に報知することができるものである。
【００１２】
又、検出温度が所定温度以上の室温サーミスタと所定温度未満の室温サーミスタがある時は、検出温度が所定温度に達していない室温サーミスタの中で最も低い温度の検出温度を室温として運転を行うので、室温サーミスタの中に異常なものがあっても運転を行うことができ、更に、室温サーミスタの中に異常が発生したか、又は室温サーミスタに温水チューブが当接していたり、その室温サーミスタ側が壁と所定の間隔離れておらず極めて近接していて熱がその周辺にこもるような異常な状態であることを使用者に報知することができるものである。
【００１３】
又、室温サーミスタ全ての検出温度が所定温度未満の時で検出温度の差が所定温度以上の時は設置状態の確認表示を行うので、室温サーミスタは異常ではないものの、室温サーミスタに温水チューブが近接していたり、一方の室温サーミスタ側が壁と所定の間隔離れておらず近接していて熱がその周辺にこもるような正常ではない状態であると判断することができ、温水チューブの状況や壁との距離を使用者に確認するよう報知することができるものである。
【図面の簡単な説明】
【００１４】
【図１】この発明の一実施例を付した温水暖房装置の外観斜視図。
【図２】同背面側の斜視図。
【図３】同制御のフローチャート図。
【発明を実施するための形態】
【００１５】
次にこの発明に係る温水暖房装置を図面に示す一実施例で説明する。
１は室内機の筐体で、床面上に設置されるスタンド２と、該スタンド２上部の前後に被着される前面パネル３および背面カバー４とで構成され、前記前面パネル３には温風吹出口５が設けられていると共に、前記背面カバー４には空気吸込口６が設けられているものである。
【００１６】
そして前記筐体１内には背面カバー４の空気吸込口６から前面パネル３の温風吹出口５を結ぶ空気経路に送風ファン（図示せず）と熱交換器（図示せず）とを備え、熱源機である室外機（図示せず）により加熱された温水が前記熱交換器に循環され、同熱交換器によって前記空気吸込口５から吸い込まれた空気が熱交換されたのち、前記送風ファンによって前記温風吹出口２から室内に吹き出されるものである。
【００１７】
７は温水チューブで、一端には接続器８が取り付けられ、他端は背面カバー４の下部から筐体１内の熱交換器の流入側に接続され、前記接続器８を壁面等に設けられ室外機と接続されている温水コンセント（図示せず）に接続することにより、室外機から加熱された温水が温水コンセントから接続器８、そして温水チューブ７から熱交換器を通過し、再び温水チューブ７から接続器８、そして温水コンセントを通過して室外機に戻るものである。
【００１８】
９及び１０は室温サーミスタで、前記背面カバー４の下部の両端にそれぞれ設けられ、室内温度を検知するものである。
【００１９】
１１は操作部で、前記筐体１の上面に設けられ、運転スイッチ（図示せず）や各種スイッチ（図示せず）が設けられているものである。
１２は表示部で、設定温度や室温の表示、時刻や時間、異常表示や警報表示等行うものである。
【００２０】
次に図３を参照しながら動作について説明する。
まず、操作部１１の運転スイッチをＯＮすると（Ｓ１）、背面カバー４の下部の両端にそれぞれ設けられている室温サーミスタ９及び室温サーミスタ１０により室温を検知する。（Ｓ２）
【００２１】
そして室温サーミスタ９の検出温度と室温サーミスタ１０の検出温度とを比較し、両方の検出温度が所定温度、例えば両方の検出温度が５０℃以上の時は（Ｓ３）、室温サーミスタ９及び室温サーミスタ１０の両方に異常が発生したと判断し（Ｓ４）、表示部１２に全室温サーミスタのエラー表示を行い（Ｓ５）、運転動作を停止して（Ｓ６）、（Ｓ１）へと戻るものである。
【００２２】
又、（Ｓ３）で室温サーミスタ９及び室温サーミスタ１０の両方の検出温度が所定温度の５０℃以上ではない時は、次に室温サーミスタ９又は室温サーミスタ１０の一方の検出温度が所定温度の５０℃以上かを判断し（Ｓ７）、一方の検出温度が所定温度の５０℃以上の時は、その一方の室温サーミスタに異常が発生したか、又はその一方の室温サーミスタに温水チューブ７が当接していたり、その一方の室温サーミスタ側が壁と所定の間隔離れておらず極めて近接していて熱がその周辺にこもるような異常な状態であると判断するものである。（Ｓ８）
【００２３】
そして、表示部１２に検出温度が所定温度の５０℃以上となった室温サーミスタ側に異常が発生した旨のエラー表示を行うと共に（Ｓ９）、検出温度が所定温度の５０℃未満の室温サーミスタの検出温度を室温として採用するものである。
（Ｓ１０）
【００２４】
そして、その採用した室温と操作部１１により設定した設定室温とを比較し、検出される室温が設定室温になるように運転動作を継続し、（Ｓ１１）、そして次に運転スイッチがＯＦＦされたら（Ｓ６）に進み、運転スイッチがＯＦＦされなかったら（Ｓ１１）に戻るものである。（Ｓ１２）
【００２５】
又、（Ｓ７）で室温サーミスタ９及び室温サーミスタ１０の両方の時は、次に室温サーミスタ９及び室温サーミスタ１０の検出温度で低い方の検出温度を室温として採用し（Ｓ１３）、その採用した室温と操作部１１により設定した設定室温とを比較し、検出される室温が設定室温になるように運転動作を継続するものである。（Ｓ１４）
【００２６】
そして次に、検出温度が所定温度の５０℃未満だった室温サーミスタ９及び室温サーミスタ１０の検出温度を比較し、両方の検出温度の温度差が所定温度、例えば５℃以上かを判断し（Ｓ１５）、両方の検出温度の温度差が所定温度の５℃以上の時は、室温サーミスタは異常ではないものの、室温サーミスタに温水チューブ７が近接していたり、一方の室温サーミスタ側が壁と所定の間隔離れておらず近接していて熱がその周辺にこもるような正常ではない状態であると判断して（Ｓ１６）、表示部１２に設置状態の確認表示を行う。（Ｓ１７）
【００２７】
そして次に運転スイッチがＯＦＦされたら（Ｓ６）に進み、運転スイッチがＯＦＦされなかったら（Ｓ１５）に戻るものである。（Ｓ１８）
【００２８】
以上のように、背面カバー４の下部の両端に室温サーミスタ９及び室温サーミスタ１０を設け、両方の検出温度のうち、低い方の温度を室温とするので、一方の室温サーミスタに温水チューブ７が近接していたり、一方の室温サーミスタ側が壁と所定の間隔離れておらず近接していて熱がその周辺にこもるような状態であっても、他方の室温サーミスタの検出温度を室温としてそれと設定温度とを比較して運転を行い、室温が設定温度に上昇する前に運転を停止してしまうことを防止できるものである。
【００２９】
又、室温サーミスタ９及び室温サーミスタ１０の両方の検出温度が所定温度以上の時は、両方の室温サーミスタが異常と判断して運転を停止するので、室温が検出できないまま運転が行われるのを防止でき、更に、全室温サーミスタのエラー表示を行うことで、両方の室温サーミスタが故障しているのを使用者に報知することができるものである。
【００３０】
又、室温サーミスタ９及び室温サーミスタ１０の一方の検出温度が所定温度以上の時は、検出温度が所定温度に達していない他方の室温サーミスタの検出温度を室温として運転を継続するので、一方の室温サーミスタが異常でも運転を継続することができ、更に、検出温度が所定温度以上の室温サーミスタ側に異常が発生した旨のエラー表示を行うことで、その一方の室温サーミスタに異常が発生したか、又はその一方の室温サーミスタに温水チューブ７が当接していたり、その一方の室温サーミスタ側が壁と所定の間隔離れておらず極めて近接していて熱がその周辺にこもるような異常な状態であることを使用者に報知することができるものである。
【００３１】
又、室温サーミスタ９及び室温サーミスタ１０の検出温度が所定温度未満で両方の検出温度の温度差が所定温度以上の時は、室温サーミスタは異常ではないものの、室温サーミスタに温水チューブ７が近接していたり、一方の室温サーミスタ側が壁と所定の間隔離れておらず近接していて熱がその周辺にこもるような正常ではない状態であると判断することができ、更に、設置状態の確認表示を行ことで、温水チューブ７の状況や壁との距離を使用者に確認するよう報知することができるものである。
【符号の説明】
【００３２】
１  筐体
２  温風吹出口
５  空気吸込口
７  温水チューブ
８  接続器
９  室温サーミスタ
１０  室温サーミスタ
【図１】
0006404746.tif 000002
【図２】
0006404746.tif 000003
【図３】
0006404746.tif 000004